【手続補正書】
【提出日】平成19年7月31日(2007.7.31)
【手続補正１】
【補正対象書類名】特許請求の範囲
【補正対象項目名】全文
【補正方法】変更
【補正の内容】
【特許請求の範囲】
【請求項１】
各々の導電体の撚線対を選択的に受承するように構成される領域を形成するベース部分を備えるケーブル・フィラーであって、
前記ベース部分の前記領域は、前記ベース部分の中心点から半径方向かつ外方に伸びている複数の脚部により形成され、前記複数の脚部は、より長い脚部と、より短い脚部とを有し、さらに、前記のより長い脚部は、選択的に受承された前記撚線対の直径に少なくともほぼ等しい長さを有する少なくとも１つの脚部を含み、
前記ケーブル・フィラーは、さらに、
前記のより長い脚部の１つから半径方向かつ外方に伸びている第１延長部と、
前記のより長い脚部の他の１つから半径方向かつ外方に伸びている第２延長部とを備え、
前記ベース部分の中心点からの距離に関して、前記第１延長部は、前記第２延長部よりも離れて配置されることを特徴とするケーブル・フィラー。
【請求項２】
前記ケーブル・フィラーが、少なくとも予め定められた距離に亘って概して長軸に沿って螺旋状に撚られている請求項１に記載のケーブル・フィラー。
【請求項３】
前記ケーブル・フィラーのフィラー撚り長さが、前記予め定められた距離に亘って変化する請求項２に記載のケーブル・フィラー。
【請求項４】
前記ベース部分が、選択的に受承された前記撚線対を適切に収容するように構成される湾曲エッジを含む請求項１に記載のケーブル・フィラー。
【請求項５】
前記延長部が、ジャケットを受承するための湾曲外方エッジを有する請求項１に記載のケーブル・フィラー。
【請求項６】
前記第１延長部および前記第２延長部が、異なる断面域の延長部を有する請求項１に記載のケーブル・フィラー。
【請求項７】
前記ケーブル・フィラーが、第２ケーブル・フィラーに少なくとも予め定められた距離に沿って近接して配置されるために構成されており、さらに、前記ケーブル・フィラーが、前記第２ケーブル・フィラーに沿って少なくとも前記予め定められた距離に亘って撚られている請求項１に記載のケーブル・フィラー。
【請求項８】
前記ケーブル・フィラーが、前記予め定められた距離に沿ったいずれの点においても、前記第２ケーブル・フィラーのフィラー撚り長さとは異なるフィラー撚り長さで撚られている請求項７に記載のケーブル・フィラー。
【請求項９】
選択的に受承された前記撚線対のいずれも、前記第２ケーブル・フィラーの選択的に受承された撚線対のわずか１つの撚り長さに等しい撚り長さを有しているにすぎない請求項８に記載のケーブル・フィラー。
【請求項１０】
前記ケーブル・フィラーおよび前記第２ケーブル・フィラーが、前記ケーブル・フィラーおよび前記第２ケーブル・フィラーの選択的に受承されたそれぞれの撚線対が異なる撚り長さを有するように異なるフィラー撚り長さで撚られている請求項７に記載のケーブル・フィラー。
【請求項１１】
前記ベース部分の中心点から前記第１延長部までの距離に関して、前記第１延長部は、前記ベース部分の中心点から前記第２延長部までの距離のほぼ２倍の距離で配置される請求項１に記載のケーブル・フィラー。
【請求項１２】
少なくとも２つの導電体の撚線対と、
ベース部分と、少なくとも１つの延長部とを具備する非導電性のフィラーとを備えるケーブルであって、
前記ベース部分は、複数の脚部を有し、前記複数の脚部のうちで少なくとも１つの脚部は、前記撚線対の直径に少なくともほぼ等しい長さを有し、前記複数の脚部はポケットを形成し、さらに、導電体の前記撚線対は、前記ポケットの位置に配置され、前記少なくとも１つの延長部は、前記脚部の１つから少なくとも予め定められた範囲で半径方向かつ外方に伸びており、
前記ケーブルは、さらに、導電体の前記撚線対および前記フィラーを包囲するジャケットを備え、
前記フィラーの前記少なくとも１つの延長部は、前記ケーブルの長さ方向に沿って伸びている前記ジャケットの外側でリッジを形成することを特徴とするケーブル。
【請求項１３】
非導電性の前記フィラーが第２延長部を有し、前記第２延長部は、前記ベース部分の前記脚部の他の１つから半径方向かつ外方に伸びている請求項１２に記載のケーブル。
【請求項１４】
非導電性の前記フィラーが第２延長部を有し、前記第２延長部は、導電体の前記撚線対を越えて半径方向に配置されている請求項１２に記載のケーブル。
【請求項１５】
前記第２延長部が、前記ベース部分から分離された要素である請求項１４に記載のケーブル。
【請求項１６】
前記第２延長部が、前記ジャケットの外側の周囲に巻かれている請求項１５に記載のケーブル。
【請求項１７】
前記撚線対が、少なくとも予め定められた長さに亘って互いに関連して螺旋状に撚られている請求項１２に記載のケーブル。
【請求項１８】
前記フィラーが少なくとも予め定められた長さに亘って螺旋状に撚られており、前記フィラーのフィラー撚り長さが、前記予め定められた長さに亘って変化する請求項１２に記載のケーブル。
【請求項１９】
前記ベース部分が、前記撚線対を適切に収容するように構成されている湾曲エッジを含む請求項１２に記載のケーブル。
【請求項２０】
前記撚線対が、より長い撚り長さの撚線対と、より短い撚り長さの撚線対とを有する請求項１２に記載のケーブル。
【請求項２１】
異なる長さの延長部を各々有する少なくとも２つの脚部が設けられ、前記のより長い撚り長さの撚線対が、前記延長部の最長部により近く接近して配置され、また一方で、前記のより短い撚り長さの撚線対が、前記延長部の前記最長部にそれほど接近して配置されていない請求項２０に記載のケーブル。
【請求項２２】
異なる断面域の延長部を各々有する少なくとも２つの脚部が設けられ、前記のより長い撚り長さの撚線対が、前記延長部の最大部により近く接近して配置され、また一方で、前記のより短い撚り長さの撚線対が、前記延長部の前記最大部にそれほど接近して配置されていない請求項２０に記載のケーブル。
【請求項２３】
前記ケーブルが、カテゴリー５、カテゴリー５ｅおよびカテゴリー６ＲＪ−４５ケーブルの少なくとも１つに関する工業寸法規格を満たす請求項１２に記載のケーブル。
【請求項２４】
空気のようなガスを選択的に受承する空間が、前記ケーブルの断面域、および予め定められた距離に亘る前記ケーブルの容積の少なくとも一方のほぼ１０％未満を示すようになっている請求項１２に記載のケーブル。
【請求項２５】
前記フィラーの誘電体、前記ジャケット、および前記撚線対の各々の絶縁体が、全て互いに関連してほぼ１の比誘電率内にある請求項１２に記載のケーブル。
【請求項２６】
前記ジャケットが、前記撚線対を互いに関連させて概して所定の位置に固定するようになっている請求項１２に記載のケーブル。
【請求項２７】
前記ジャケットが、内部ジャケットおよび外部ジャケットを含み、前記フィラーの誘電体、前記内部ジャケット、および前記撚線対の各々の絶縁体が、全て互いに関連してほぼ１の比誘電率内にある請求項２６に記載のケーブル。
【請求項２８】
前記撚線対間の距離がほぼ０．０１インチを超えて変化せず、また一方で、前記フィラーが、長軸に沿って螺旋状に回転している請求項２６に記載のケーブル。
【請求項２９】
前記少なくとも１つの延長部の各々が、少なくとも前記予め定められた範囲だけ前記撚線対の少なくとも１つの断面域の外方エッジを越えて伸びている請求項１２に記載のケーブル。
【請求項３０】
撚線対と、オフセット・フィラーと、ジャケットとを具備する第１ケーブルを備えるケーブル・グループであって、ここに、
(i)前記撚線対の各々は、長軸に沿って伸びる少なくとも２つの導電体と、前記導電体の各々を包囲する絶縁体とを有しており、前記導電体は、所定の撚り長さで概して長さ方向に前記長軸から外れるように撚られ、かつ、前記撚線対は、概して異なる撚り長さを有し、
(ii)前記ジャケットは、前記撚線対および前記フィラーを取り囲み、
(iii)前記オフセット・フィラーは、前記ジャケット内で螺旋状のリッジを形成し、
前記ケーブル・グループは、さらに、撚線対と、オフセット・フィラーと、ジャケットとを具備する第２ケーブルを備え、ここに、
(i)′前記撚線対の各々は、長軸に沿って伸びる少なくとも２つの導電体と、前記導電体の各々を包囲する絶縁体とを有しており、前記導電体は、所定の撚り長さで概して長さ方向に前記長軸から外れるように撚られ、かつ、前記撚線対は、概して異なる撚り長さを有し、
(ii)′前記ジャケットは、前記撚線対および前記フィラーを取り囲み、
(iii)′前記オフセット・フィラーは、前記ジャケット内で螺旋状のリッジを形成し、
さらに、前記第１ケーブルおよび前記第２ケーブルは、少なくとも予め定められた距離で概して平行な軸に沿って配置され、さらに、前記第１ケーブルおよび前記第２ケーブルの螺旋状のリッジの部分に沿って互いに接触し、これによって、前記第１ケーブルと前記第２ケーブルとの間にエア・ポケットが形成されることを特徴とするケーブル・グループ。
【請求項３１】
前記ケーブルが、予め定められた距離に沿って、いずれの点においても異なるケーブル撚り長さで独立して回転している請求項３０に記載のケーブル・グループ。
【請求項３２】
前記ケーブルの対応撚線対が異なる仕上がり撚り長さを有するように、前記ケーブル撚り長さが互いにわずか所定の長さだけしか変化しないようになっている請求項３１に記載のケーブル・グループ。
【請求項３３】
前記第１ケーブルの前記撚線対の前記撚り長さの各々が、前記予め定められた距離に亘って前記第２ケーブルの前記撚線対の前記撚り長さのわずか１つに等しい請求項３１に記載のケーブル・グループ。
【請求項３４】
各々の前記ケーブルにおける撚線対の各々の前記撚り長さが、前記予め定められた距離に亘ってそれぞれの範囲内に維持されるように、前記ケーブルが異なるケーブル撚り長さで回転している請求項３１に記載のケーブル・グループ。
【請求項３５】
前記第１ケーブルおよび前記第２ケーブルが互いに螺旋状に撚られている請求項３０に記載のケーブル・グループ。
【請求項３６】
前記ケーブルの前記フィラー撚り長さが異なるように、前記ケーブルの前記オフセット・フィラーが、所定のフィラー撚り長さで前記軸に沿って回転している請求項３０に記載のケーブル・グループ。
【請求項３７】
前記オフセット・フィラーが、少なくとも予め定められた範囲だけ前記撚線対の断面域を越えて伸びている請求項３０に記載のケーブル・グループ。
【請求項３８】
空気のようなガスを選択的に受承する空間が、前記ケーブルの各々の断面域、および予め定められた距離に亘る前記ケーブルの各々の容積の少なくとも一方のほぼ１０％未満を示すようになっている請求項３０に記載のケーブル・グループ。
【請求項３９】
前記ケーブルの各々の前記オフセット・フィラーの誘電体、前記ジャケット、および前記絶縁体が、全て互いに関連してほぼ１の比誘電率内にある請求項３０に記載のケーブル・グループ。
【請求項４０】
前記ケーブルの各々の前記オフセット・フィラーおよび前記ジャケットは、前記撚線対間の距離がほぼ０．０１インチを超えて変化せず、また一方で、前記オフセット・フィラーは、前記予め定められた距離に沿って螺旋状に回転するように構成されている請求項３０に記載のケーブル・グループ。
【請求項４１】
前記ケーブルの各々の前記オフセット・フィラーが第１延長部および第２延長部を含み、前記第１延長部が前記第２延長部よりも長く、さらに、より長い撚り長さの撚線対が、前記第１延長部により近く接近して配置され、また一方で、より短い撚り長さの撚線対が、前記第２延長部により近く接近して配置されている請求項３０に記載のケーブル・グループ。
【手続補正２】
【補正対象書類名】明細書
【補正対象項目名】発明の名称
【補正方法】変更
【補正の内容】
【発明の名称】ケーブル・フィラー、ケーブルおよびケーブル・グループ